(57)【要約】【課題】原料種類に応じて原料基準値を詳細に設定できたり容易に変更設定できる原料基準値設定装置を提供する。【解決手段】表示部で、原料供給部が所定時間当たりに原料を供給する供給量である原料基準値を表示する。操作部の桁数変更指示部により、設定する原料基準値の桁数を任意に変更させる。変更した桁数で、表示部にて原料基準値を表示するとともに、操作部の原料基準値入力部にて原料基準値を入力する。小数点以下の桁数を増せば原料基準値を詳細に設定できる。桁数を少なくすれば原料基準値の変更を容易にできる。【選択図】図１
2007233524.tif 000002
【特許請求の範囲】
【請求項１】
原料供給部が所定時間当たりに原料を供給する供給量である原料基準値を表示する表示部と、
原料基準値を入力する原料基準値入力部、設定する原料基準値の桁数を変更させる桁数変更指示部を有する操作部と、
前記桁数変更指示部により変更指示された桁数で、前記表示部にて原料基準値を表示させるとともに前記原料基準値入力部にて原料基準値を入力可能とする制御部と
を具備していることを特徴とする原料基準値設定装置。
【請求項２】
制御部は、桁数変更指示部の変更指示により、原料基準値の小数点以下の桁数を増加させる
ことを特徴とする請求項１記載の原料基準値設定装置。
【請求項３】
原料供給部が供給する原料は、飲料の粉末原料、抽出原料、および液体の少なくともいずれか１つである
ことを特徴とする請求項１または２記載の原料基準値設定装置。
【発明の詳細な説明】
【技術分野】
【０００１】
本発明は、原料供給部が所定時間当たりに原料を供給する供給量である原料基準値を設定する原料基準値設定装置に関する。
【背景技術】
【０００２】
従来、例えば、給茶機では、原料として粉末原料と湯または冷水とを混合してお茶などの飲料を提供している。粉末原料はキャニスタに収容され、キャニスタの底部の底部に配置されたスクリューをモータで回転させて粉末原料を吐出させるとともにモータの駆動時間を制御して任意に設定された供給量の粉末原料を吐出させている。湯や冷水は電磁弁の駆動時間を制御して任意に設定された供給量の湯や冷水を供給している（例えば、特許文献１参照）。
【０００３】
このように、給茶機では、例えば粉末原料の場合、モータの駆動時間を制御して設定された供給量の粉末原料をキャニスタから吐出させているが、粉末原料の種類によってはキャニスタが所定時間当たりに粉末原料を吐出する供給量が異なることがある。そのため、初期設定として、キャニスタが所定時間当たりに粉末原料を吐出する供給量である原料基準値を予め設定しておくことにより、飲料提供時に設定されている正確な供給量の粉末原料をキャニスタから吐出させることができる。
【０００４】
この原料基準値の設定は、給茶機内部に配設されたコントローラによって可能としている。すなわち、コントローラの操作部で原料基準値の設定項目を指定することにより、コントローラの表示部でキャニスタ毎の原料基準値を表示する。操作部で任意のキャニスタを選択することにより、該当するキャニスタのモータを所定時間（基準時間）だけ駆動し、実際にキャニスタから吐出された粉末原料の量を計測する。操作部の上げるボタンまたは下げるボタンを押し、表示部で表示する原料基準値を順に繰り上げまたは繰り下げて計測した値とする。その後、操作部で確定指示をすることにより、原料基準値を設定できる。
【特許文献１】実開平６−１０１９８号公報（第８−１３頁、図１−２）
【発明の開示】
【発明が解決しようとする課題】
【０００５】
しかしながら、従来は、原料基準値の設定時に、原料基準値を特定の桁数でしか設定できなかった。そのため、特に、飲料種類によっては原料基準値が小さい場合があるが、この場合、最小桁単位の幅では原料供給量の変化幅が大きいことがあり、詳細に設定できず、実際の飲料提供時に設定された供給量を正確に供給できない場合がある。
【０００６】
また、予め桁数を多くして表示および設定を可能とすることも考えられるが、原料基準値が大きい飲料種類などの場合には、細かい設定はあまり必要ではなく、原料基準値の繰り上げまたは繰り下げによる変更に時間がかかるなどの問題が生じる。
【０００７】
本発明は、このような点に鑑みなされたもので、原料種類に応じて原料基準値を詳細に設定できたり容易に変更設定できる原料基準値設定装置を提供することを目的とする。
【課題を解決するための手段】
【０００８】
請求項１記載の原料基準値設定装置は、原料供給部が所定時間当たりに原料を供給する供給量である原料基準値を表示する表示部と、原料基準値を入力する原料基準値入力部、設定する原料基準値の桁数を変更させる桁数変更指示部を有する操作部と、前記桁数変更指示部により変更指示された桁数で、前記表示部にて原料基準値を表示させるとともに前記原料基準値入力部にて原料基準値を入力可能とする制御部とを具備しているものである。
【０００９】
請求項２記載の原料基準値設定装置は、請求項１記載の原料基準値設定装置において、制御部は、桁数変更指示部の変更指示により、原料基準値の小数点以下の桁数を増加させるものである。
【００１０】
請求項３記載の原料基準値設定装置は、請求項１または２記載の原料基準値設定装置において、原料供給部が供給する原料は、飲料の粉末原料、抽出原料、および液体の少なくともいずれか１つであるものである。
【発明の効果】
【００１１】
請求項１記載の原料基準値設定装置によれば、桁数変更指示部により設定する原料基準値の桁数を任意に変更させ、その桁数で表示部にて原料基準値を表示するとともに原料基準値入力部にて原料基準値を入力できるため、例えば、桁数を多くすれば原料基準値を詳細に設定でき、桁数を少なくすれば原料基準値の変更を容易にでき、したがって、原料種類に応じて原料基準値を詳細に設定できたり容易に変更設定できる。
【００１２】
請求項２記載の原料基準値設定装置によれば、請求項１記載の原料基準値設定装置の効果に加えて、桁数変更指示部の変更指示により、原料基準値の小数点以下の桁数を増加させるため、原料基準値を詳細に設定できる。
【００１３】
請求項３記載の原料基準値設定装置によれば、請求項１または２記載の原料基準値設定装置の効果に加えて、原料供給部が供給する原料として飲料の粉末原料、抽出原料、および液体のいずれについても、原料種類に応じて原料基準値を詳細に設定できたり容易に変更設定できる。
【発明を実施するための最良の形態】
【００１４】
以下、本発明の一実施の形態を図面を参照して説明する。
【００１５】
図５に、原料基準値設定装置を適用する飲料提供装置としての給茶機11を示し、この給茶機11は、本体部12およびこの本体部12の前面に開閉可能に設けられた扉体13を有し、置き台14上に載置されている。この給茶機11では、原料として粉末原料と湯または冷水とを混合してお茶などの飲料を提供する。
【００１６】
本体部12内には、飲料の種類別の粉末原料を収容して供給する複数の原料供給部としてのキャニスタ15、湯を供給する図示しない湯タンクを有する湯供給装置、冷水を供給する図示しない冷水供給装置などが配設されている。さらに、各キャニスタ15から吐出される粉末原料を受け入れて下方に導くシュート部16、このシュート部16で導かれる粉末原料と湯または冷水とを混合して飲料を調合するミキシングボール部17、このミキシングボール部17から流出する飲料をカップに注出するカップステーション18が配置されている。
【００１７】
各キャニスタ15は、粉末原料を収容する容器19を有し、この容器19内の底部に図示しないスクリューが配置され、このスクリューをモータ21（図３参照）の駆動によって回転させることにより、容器19の図示しない吐出口からモータ21の駆動時間に対応した量の粉末原料を吐出させることができる。
【００１８】
湯供給装置は、湯タンク内に所定温度に沸き上げて貯湯し、湯タンクから湯を供給する給湯管に配置されている電磁弁22（図３参照）を開くことにより、この電磁弁22の開放時間に対応した量の湯を供給することができる。
【００１９】
冷水供給装置は、水道管などに接続される給水管が冷却水槽の冷却水中を通過し、冷却水槽の冷却水との熱交換によって給水管内を通過する水を冷却する構成になっており、この冷水給水管に配置されている電磁弁23（図３参照）を開くことにより、この電磁弁23の開放時間に対応した量の冷水を供給することができる。
【００２０】
また、扉体13の裏面には、この給茶機11を制御する制御部31が配設されている。この制御部31には、図４に示すように、自動販売機の状態や設定事項などを表示する表示部32と、各種の設定事項を設定操作する複数のキーを有する操作部33が配設されている。
【００２１】
操作部33が有するキーとしては、訂正キー、上下左右方向のカーソルキー、設定キー、終了キーなどのデータ入力キー34が、主に原料基準値の設定用として用いられる。そして、原料基準値を入力する原料基準値入力部35としては、上下方向のカーソルキーが用いられ、また、設定する原料基準値の桁数を変更させる桁数変更指示部36としては、他の機能のキーを兼行して使用するもので、例えば、茶の葉交換キーの２秒以上の長押しによって構成されている。
【００２２】
そして、制御部31は、桁数変更指示部36の変更指示により原料基準値の小数点以下の桁数を増加させる機能、この桁数変更指示部36により変更指示された桁数で表示部32にて原料基準値を表示させるとともに原料基準値入力部35にて原料基準値を入力可能とする機能を有している。
【００２３】
次に、初期設定として、キャニスタ15が所定時間当たりに粉末原料を吐出する供給量である原料基準値を設定する手順を図１のフローチャートを参照して説明する。
【００２４】
各キャニスタ15の容器19には予め粉末原料を入れておく。
【００２５】
操作部33の特定のキー操作によって、原料基準値設定モードにする。原料基準値設定モードにすると、図２(a)に示すように、表示部32で原料基準値設定の画面を表示する（ステップ１）。この画面では、キャニスタ15の番号１、２…、各キャニスタ15毎に設定されている原料基準値、選択している項目を表示するカーソルを表示する。ここで表示する原料基準値は、小数点以下１桁を基本表示桁数としており、例えば、キャニスタ15の番号１では、１．０と表示している。
【００２６】
データ入力キー34の左右方向のカーソルキーで、図２(b)に示すように、表示部32のカーソルを設定したいキャニスタ15の番号の原料基準値に合わせ、データ入力キー34の訂正キーを操作する。これにより、該当する番号のキャニスタ15のモータ21が予め設定された所定時間（基準時間）だけ回動し、キャニスタ15から粉末原料を吐出する（ステップ２）。キャニスタ15から吐出された粉末原料を容器などで受け取ってその吐出量を測定する。データ入力キー34の訂正キーの操作によるキャニスタ15からの粉末原料の吐出と吐出された粉末原料の吐出量の測定とを数回繰り返し、吐出量の平均値を求める。
【００２７】
そして、測定した吐出量の平均値を原料基準値として入力するが、この原料基準値の値が小さいか否か判断する（ステップ３）。例えば、１．０ｇを基準とし、１．０ｇ以下の場合を小さいと判断する。
【００２８】
原料基準値の値が例えば１．０ｇ以下であって小さい場合には、より詳細に入力できるように、桁数変更指示部36を操作する（ステップ４）。この桁数変更指示部36の操作は、例えば茶の葉交換キーを２秒以上の長押し操作による。
【００２９】
桁数変更指示部36の操作により、図２(c)に示すように、表示部32での原料基準値を小数点以下２桁まで増やして表示し、例えば、キャニスタ15の番号１では、１．００と表示する。
【００３０】
データ入力キー34の下方向のカーソルキーを操作することにより、図２(d)に示すように、表示部32での原料基準値を小数点以下２桁までの範囲で順に繰り下げる。測定した吐出量の平均値が表示部32で表示されたら、データ入力キー34の下方向のカーソルキーの操作を停止する（ステップ５）。
【００３１】
原料基準値の入力が完了したら、データ入力キー34の終了キーを操作し、該当するキャニスタ15についての原料基準値の設定が終了する（ステップ６）。
【００３２】
なお、このキャニスタ15について原料基準値を訂正する場合には、最初から原料基準値を小数点以下２桁までの範囲まで表示して入力できるようにすることで、再度の桁数変更指示部36の操作を不要にできる。
【００３３】
また、原料基準値の値が例えば１．０以上と大きい場合には、データ入力キー34の上下方向のカーソルキーを操作することにより、表示部32での原料基準値を小数点以下１桁までの範囲で順に繰り上げたり繰り下げる。測定した吐出量の平均値が表示部32で表示されたら、データ入力キー34の上下方向のカーソルキー操作を停止する（ステップ７）。この場合、設定可能とする原料基準値の範囲は小数点以下１桁まであるため、小数点以下２桁の場合に比べて、原料基準値の繰り上げまたは繰り下げによる変更に時間がかからず、変更を容易にできる。なお、原料基準値の値が例えば１．０以上と大きい場合でも、より詳細に入力したい場合には、上述のように桁数変更指示部36を操作し、小数点以下２桁までの範囲で入力できるようにしてもよい。
【００３４】
原料基準値の入力が完了したら、データ入力キー34の終了キーを操作し、該当するキャニスタ15についての原料基準値の設定を終了する（ステップ６）。
【００３５】
このような原料基準値の設定は全てのキャニスタ15について実施する。
【００３６】
そして、初期設定として、キャニスタ15が所定時間当たりに粉末原料を吐出する供給量である原料基準値を予め正確に設定しておくことにより、飲料提供時に設定されている正確な供給量の粉末原料をキャニスタ15から吐出させることができる。
【００３７】
このように、原料基準値設定装置によれば、桁数変更指示部36により設定する原料基準値の桁数を任意に変更させ、その桁数で表示部32にて原料基準値を表示するとともに原料基準値入力部35にて原料基準値を入力できるため、小数点以下の桁数を多くすれば原料基準値を詳細に設定でき、桁数を少なくすれば原料基準値の変更を容易にでき、したがって、原料種類に応じて原料基準値を詳細に設定できたり容易に変更設定できる。
【００３８】
なお、原料基準値の設定は、キャニスタ15から吐出する粉末原料の吐出量に限らず、抽出原料用のキャニスタから吐出する茶葉などの抽出原料の吐出量でもよく、あるいは湯や冷水などの液体の供給量についても同様に適用できる。この湯や冷水の原料基準値の設定は、原料供給部として電磁弁22，23が開放して所定時間当たり供給する湯や冷水の供給量を原料基準値として設定する。
【００３９】
また、桁数変更指示部36は、専用のキーなどを設けてもよいが、他のキーなどと兼用することにより、操作部33の構成を簡素化できる。
【００４０】
また、設定可能とする原料基準値の基本表示桁数は、小数点以下１桁に限らず、正の整数の一の位以上の桁などでもよい。
【００４１】
また、原料基準値設定装置を適用する飲料提供装置としては、給茶機11に限らず、カップ式飲料自動販売機などにも同様に適用できる。
【図面の簡単な説明】
【００４２】
【図１】本発明の一実施の形態を示す原料基準値設定装置における原料基準値設定手順を示すフローチャートである。
【図２】同上原料基準値設定装置の表示部の表示例を(a)〜(d)に示す説明図である。
【図３】同上原料基準値設定装置を適用した制御部の一部を示すブロック図である。
【図４】同上原料基準値設定装置の操作部の正面図である。
【図５】同上原料基準値設定装置を適用した給茶機の扉体を開いた状態の斜視図である。
【符号の説明】
【００４３】
15    原料供給部としてのキャニスタ
31    制御部
32    表示部
33    操作部
35    原料基準値入力部
36    桁数変更指示部
【図１】
2007233524.tif 000003
【図２】
2007233524.tif 000004
【図３】
2007233524.tif 000005
【図４】
2007233524.tif 000006
【図５】
2007233524.tif 000007